(57)【特許請求の範囲】
【請求項１】
上面が開口し内部に収納物の収納が可能な引き出しと、前記引き出しを摺動自在に収容する合成樹脂により全体が一体で直方体の枠状に形成された枠体と、前記枠体上に設けられて前記枠体の上面を覆う天板とを有し、前記枠体は、複数の支部と、該支部同士の間に設けられて前記引き出しを挿通する開口部とを有し、前記開口部の上端部であって前記支部同士の間に架設した梁部を有することを特徴とする収納ケース。
【請求項２】
前記梁部は、複数の補強板によって内部が区画されたことを特徴とする請求項1記載の収納ケース。
【発明の詳細な説明】
【０００１】
【発明の属する技術分野】
本発明は、衣類、雑貨等の物品を収納可能な収納ケースに関する。
【０００２】
【従来の技術】
従来の衣類や雑貨等の収納ケースとして、例えば、摺動自在な引き出しと、この引き出しを収容する枠体と、枠体上に設けられてこの枠体の上面を覆う天板とを有する合成樹脂製の収納ケースが知られている。
【０００３】
【発明が解決しようとする課題】
従来の合成樹脂からなる収納ケースは、軽量、かつ低コストで物品の収納の利便性が高いものであるが、例えば、収納ケースを複数段積み重ねて使用する場合には、枠体や天板に変形が発生する恐れがあり、収納ケース全体の強度を向上することが望まれている。
【０００４】
また、従来の収納ケースは、通常、組立式であるが、一度組み立てた後に再び分解する作業に手間がかかり、利便性の向上の点で改善が望まれている。
【０００５】
また、例えば、引き出し内に物品が収納された状態の収納ケースを移動したい場合には、収納ケース自体の底面を持って取り扱う必要があり、移動や運搬時の利便性を向上することが望まれている。
【０００６】
本発明は、上記の点に鑑みてなされたものであって、収納ケース全体の強度を向上することが可能であり、分解、組立及び移動時の利便性の向上を図ることが可能な収納ケースを提供することを目的とする。
【０００７】
【課題を解決するための手段】
本発明の収納ケースは、上面が開口し内部に収納物の収納が可能な引き出しと、前記引き出しを摺動自在に収容する合成樹脂により全体が一体で直方体の枠状に形成された枠体と、前記枠体上に設けられて前記枠体の上面を覆う天板とを有し、前記枠体は、複数の支部と、該支部同士の間に設けられて前記引き出しを挿通する開口部とを有し、前記開口部の上端部であって前記支部同士の間に架設した梁部を有するものである。
【０００８】
また、前記梁部は、複数の補強板によって内部が区画されたものである。
【００１９】
【発明の実施の形態】
次に、本発明による収納ケースの実施の形態について、図１乃至図１３を参照して説明する。
【００２０】
図１は、本発明による収納ケースを示す分解斜視図であり、枠線内は部分拡大図、図２は、図１に示す収納ケースの正面図、図３は、図１に示す収納ケースの側面図、図４は、図１に示す収納ケースの引き出しを引き出した状態を示す側面図、図５は、図２におけるＡ−Ａ断面図、図６は、図５における部分拡大図、図７は、図３におけるＢ−Ｂ断面図、図８は、図７における部分拡大図、図９は、図１に示す収納ケースの平面図、図１０は、図１に示す収納ケースが備える蓋体を背面側から見た平面図であり、枠線内は、第２の補強リブを示す斜視図、図１１は、図１に示す収納ケースが備える枠体を示す正面図、図１２は、図１に示す収納ケースが備える枠体の平面図であり、枠線内は、第１の補強リブを示す斜視図、図１３は、図１乃至図１２に示す本発明による収納ケースを重ねる場合の使用形態の一例を示す斜視図である。
【００２１】
図１に示すように、収納ケース１は、全体が合成樹脂から形成されており、上面が開口した直方体の箱状の引き出し２と、引き出し２を摺動自在に収容する枠体５と、枠体５上に設けられて枠体５の上面を覆う天板１２とを有し、引き出し２内に衣類や雑貨等の各種の収納物が収納可能である。なお、収納ケース１を合成樹脂で形成すれば、軽量、かつ低コストであることから好適であるが、収納ケース１を形成する素材は適宜選択可能であり、所定の剛性及び弾性を有する金属や紙材等により形成してもよい。
【００２２】
図１乃至図８に示すように、引き出し２は、上面が開口した直方体の箱状であって、全体が一体で合成樹脂により形成され、前端側上部に取手部２ｂを有し、外部底面には、複数（この場合２本）のレール部２ａが長手状に突出して一体で形成されている。レール部２ａは、枠体５が有する案内機構１５（切り欠き部１５ａ及び段部１５ｂ）に当接して引き出し２の摺動を円滑に案内する部材である。
【００２３】
図１乃至図８、図１１及び図１２に示すように、枠体５は、合成樹脂により全体が一体で直方体の枠状に形成されており、複数（この場合４本）の支部５ａと、支部５ａ同士の間に設けられた複数の側壁部５ｃ1及び側壁部５ｃ2と、支部５ａ同士の間に設けられて引き出し２を挿通する開口部５ｂとを有し、開口部５ｂの上端部には、支部５ａ同士の間に架設した梁部６を有する。梁部６は、内部が複数の補強板６ａによって区画されて強度が向上され、枠体５の変形が防止され、収納ケース１全体の剛性の向上が図られている。なお、引き出し２を挟んで互いに対向する側壁部５ｃ1を第１の側壁部、開口部５ｂに対向する側壁部５ｃ2を第２の側壁部とも称する。
【００２４】
また、開口部５ｂの下端には、引き出し２のレール部２ａに対応する位置に切り欠き部１５ａが形成され、枠体５の下面内部側には、切り欠き部１５ａに連通する段部１５ｂが形成されている。切り欠き部１５ａ及び段部１５ｂにより引き出し２の摺動を円滑に案内する案内部１５が構成され、引き出し２は、レール部２ａが切り欠き部１５ａに挿通され、段部１５ｂと当接する状態で摺動可能である。
【００２５】
側壁部５ｃ1及び側壁部５ｃ2は、支部５ａ同士の間に位置する全体が枠体５の内側に向けて凹状に形成され、枠体５の内部に入り込むように形成されており、下部中央には、略矩形状の孔部５ｅが形成されて軽量化されている。また、引き出し２を挟んで互いに対向する側壁部５ｃ1（第１の側壁部）は、開口部５ｂに対向する側壁部５ｃ2（第２の側壁部）に対して凹状が大である。側壁部５ｃ1及び側壁部５ｃ2は、収納ケース１を移動する際の取手部としても作用し、例えば、引き出し２内に物品が収納された状態であっても、収納ケース１の移動や搬送を容易に行うことができる。なお、引き出し２の摺動方向である側壁部５ｃ2（第２の側壁部）の突出量が小さく設定されていることから、引き出し２の収納容量は低下しない。
【００２６】
また、枠体５の内部に突出する側壁部５ｃ1は、図７等から明らかなように、一様な面で形成されているので、引き出し２の側面や上端部と接触して摺動を円滑に案内する案内面としても作用し、引き出し２の内部に多数の物品が収納されて重量が大きい場合でも、引き出し２を円滑に出し入れすることができる。
【００２７】
なお、側壁部５ｃ1は、枠体５の内側に向けて凹状に形成され、枠体５の内側に入り込んでいるが、この突出量は、支部５ａの厚みｄ（図２及び図１２参照）の範囲内に設定されているので、収納ケース１全体の幅は、大型化していない。また、孔部５ｅを設ける位置や形状、数については、任意に設定可能であり、少なくとも１以上の孔部５ｅを設けることが軽量化の点で好ましい。また、図１、図３及び図４に示すように、側壁部５ｃ1、側壁部５ｃ2及び／又は孔部５ｅは、角部５ｇが曲面で形成されている。したがって、各々の角部５ｇに集中荷重が加わらず、亀裂などを生じることなく強度が向上されており、孔部５ｅを形成しても側壁部５ｃ1及び側壁部５ｃ2の強度を保持することができる。さらに、図１、図５、図７及び図８に示すように、孔部５ｅの縁部５ｆは、枠体５の内部に向けて屈曲された曲部になっており、孔部５ｅ近傍での枠体５の変形を防止して、収納ケース１全体の剛性を向上させている。また、曲部としての縁部５ｆについても角部は曲面であり、収納ケース１全体の剛性を向上することができる。
【００２８】
また、本実施の形態では、枠体５の側壁部５ｃ1及び側壁部５ｃ2に略矩形状の孔部５ｅを設け、孔部５ｅの縁部５ｆを枠体５の内部に向けて屈曲した曲部に形成して、収納ケース１の軽量化と高剛性化を合わせて達成しているが、側壁部５ｃ1及び側壁部５ｃ2を設けずに、支部５ａ同士の間の部位全体を孔部５ｅとして設け、この孔部５ｅの縁部５ｆを枠体５の内部に向けて屈曲して曲部を形成すれば、高剛性を保持しながら、さらに軽量化を図ることができる。
【００２９】
また、枠体５の下面外部側には、４本の脚部５ｄが形成されており、図１３に示すように、複数の収納ケース１を積み重ねて使用する場合には、天板１２の溝部１２ａ内に脚部５ｄを係合させた状態で使用可能である。
【００３０】
図１、図５乃至図８及び図１１に示すように、枠体５の外部上端の周縁部には、複数の凹部２０ａが互いに所定の間隔を隔てて形成されている。凹部２０ａは、天板１２の内周側の周縁部に設けられた複数の係合部２０ｂと各々係合して天板１２を着脱自在に保持する部材であり、凹部２０ａと、係合部２０ｂとにより、天板１２を着脱自在に保持する着脱機構２０が構成される。
【００３１】
凹部２０ａは、枠体５の前面上端部である梁部６にも複数形成されている。本実施の形態では、凹部２０ａは、梁部６及び開口部５ｂに対向する側壁部５ｃ2側の各々５箇所に形成され、引き出し２を挟んで互いに対向する側壁部５ｃ1側の各々３箇所に形成されている。
【００３２】
また、図１２にも示すように、枠体５は、着脱機構２０としての凹部２０ａに対応する位置に第１の補強リブ７ａを有する。第１の補強リブ７ａは、枠体５の内部に突出した側壁部５ｃ1（第１の側壁部）及び側壁部５ｃ2（第２の側壁部）の上端部に突出して一体で形成されており、第１の補強リブ７ａを設けることによって、天板１２を着脱する際に凹部２０ａ及びその近傍に外力が加わっても、枠体５が大きく変形せず、剛性を保持することができる。また、図５乃至図８に示すように、第１の補強リブ７ａは、天板１２を取り付けた状態において、天板１２の内周側に設けられた第２の補強リブ７ｂと互いに係合した状態で保持される。したがって、天板１２に対して上方から加わる外力を側壁部５ｃ1（第１の側壁部）及び側壁部５ｃ2（第２の側壁部）の上端の面全体で受容することが可能であり、図１３に示すように、天板１２上に収納ケース１を複数段積み重ねて使用しても、枠体５や天板１２に変形が発生せず、収納ケース１全体の強度を向上することができる。
【００３３】
図１乃至図１０に示すように、天板１２は、全体が合成樹脂で一体に形成され、外部上面に互いに離間して形成された複数（この場合、２本）の溝部１２ａを有する。溝部１２ａは、枠体５の脚部５ｄに係合可能な位置に長手状に形成されており、脚部５ｄを溝部１２ａ内に係合させた状態で使用すれば、複数の収納ケース１を積み重ねて使用しても、上段の収納ケース１の位置ずれを防止することができ、好適である。
【００３４】
天板１２の内周側の周縁部には、着脱機構２０としての複数の係合部２０ｂが互いに所定の間隔を隔てて一体で形成されている。係合部２０ｂは、天板１２の内側に向けて突出する平板状の部材であり、枠体５の凹部２０ａに対応する位置に形成されている。したがって、係合部２０ｂを撓ませれば、係合部２０ｂと凹部２０ａとの係合及び係合解除を容易に行うことが可能であり、着脱機構２０（凹部２０ａ及び係合部２０ｂ）によって、天板１２を着脱自在に保持することができる。すなわち、収納ケース１は、分解や組立の利便性が高く、しかも、天板１２は、枠体５及び天板１２の周縁部に多数設けられた着脱機構２０によって保持されることから、収納ケース１全体の強度を向上することができる。
【００３５】
また、天板１２は、内周側の周縁部であって、着脱機構２０としての係合部２０ｂに対応する位置に第２の補強リブ７ｂを有する。第２の補強リブ７ｂを設けることによって、天板１２を着脱する際に係合部２０ｂ及びその近傍に外力が加わっても、天板１２が大きく変形せず、剛性を保持することができる。また、第２の補強リブ７ｂは、図５乃至図８に示すように、天板１２を取り付けた状態において、第１の補強リブ７ａと係合可能に設けられており、天板１２に対して上方から加わる外力を側壁部５ｃ1（第１の側壁部）及び側壁部５ｃ2（第２の側壁部）の上端の面全体で受容して、収納ケース１全体の強度を向上可能である。
【００３６】
また、天板１２は、枠体５の上端部に外嵌される構成であり、着脱機構２０（凹部２０ａ）を含む枠体５の上端部全体が天板１２の内部に埋没することから、外観上も優れたものとなる。
【００３７】
【発明の効果】
以上説明したように、本発明の収納ケースによれば、収納ケース全体の強度の向上が可能であり、分解、組立及び移動時の利便性を向上することができる。
【図面の簡単な説明】
【図１】本発明による収納ケースを示す分解斜視図であり、枠線内は部分拡大図である。
【図２】図１に示す収納ケースの正面図である。
【図３】図１に示す収納ケースの側面図である。
【図４】図１に示す収納ケースの引き出しを引き出した状態を示す側面図である。
【図５】図２におけるＡ−Ａ断面図である。
【図６】図５における部分拡大図である。
【図７】図３におけるＢ−Ｂ断面図である。
【図８】図７における部分拡大図である。
【図９】図１に示す収納ケースの平面図である。
【図１０】図１に示す収納ケースが備える蓋体を背面側から見た平面図であり、枠線内は、第２の補強リブを示す斜視図である。
【図１１】図１に示す収納ケースが備える枠体を示す正面図である。
【図１２】図１に示す収納ケースが備える枠体の平面図であり、枠線内は、第１の補強リブを示す斜視図である。
【図１３】図１乃至図１２に示す本発明による収納ケースを重ねる場合の使用形態の一例を示す斜視図である。
【符号の説明】
１                収納ケース
２                引き出し
２ａ              レール部
２ｂ              取手部
５ａ              支部
５ｂ              開口部
５ｃ1、５ｃ2      側壁部
５ｄ              脚部
５ｅ              孔部
５ｆ              縁部
５ｇ              角部
６                梁部
６ａ              補強板
７ａ              第１の補強リブ
７ｂ              第２の補強リブ
１２                天板
１２ａ              溝部
１５                案内部
１５ａ              切り欠き部
１５ｂ              段部
２０                着脱機構
２０ａ              凹部
２０ｂ              係合部
【図１】
0004535593.tif 000002
【図２】
0004535593.tif 000003
【図３】
0004535593.tif 000004
【図４】
0004535593.tif 000005
【図５】
0004535593.tif 000006
【図６】
0004535593.tif 000007
【図７】
0004535593.tif 000008
【図８】
0004535593.tif 000009
【図９】
0004535593.tif 000010
【図１０】
0004535593.tif 000011
【図１１】
0004535593.tif 000012
【図１２】
0004535593.tif 000013
【図１３】
0004535593.tif 000014